(57)【特許請求の範囲】
【請求項１】
光信号を入力する入力端子と、この入力端子からの光信号を複数の光信号に分波する光分波器と、複数の単一モード発振レーザ光源と、前記光分波器からの複数の光信号と前記複数の単一モード発振レーザ光源の出力光とをそれぞれ合波する複数の光合波器と、この合波した複数の光をそれぞれ増幅する複数の半導体レーザ型光増幅器と、この増幅した複数の光信号を合波する光合波器と、この合波した光信号のうち前記複数の単一モード発振レーザ光源の出力波長に対応する複数の波長成分を透過する波長軸に対して周期的な透過特性をもつ光フィルタと、この光フィルタを透過した光信号を出力する出力端子とを備えたことを特徴とする波長変換器。
【請求項２】
前記複数の単一モード発振レーザ光源と前記複数の光合波器とをそれぞれ選択して接続する光スイッチを有することを特徴とする請求項１に記載の波長変換器。
【請求項３】
請求項１による第１の波長変換器と第２の波長変換器を直列に接続することを特徴とする波長変換装置。
【請求項４】
請求項２による第１の波長変換器と第２の波長変換器を直列に接続することを特徴とする波長変換装置。
【発明の詳細な説明】
【０００１】
【発明の属する技術分野】
本発明は、光通信システム、特に光波長分割多重伝送、光波長分割多重ネットワークを構成する装置に関するものである。
【０００２】
【従来の技術】
光波長分割多重伝送、光波長分割多重ネットワークを構成する際に、１本のファイバにおいて同一の光波長を用いることが出来ない。よって今後、波長多重技術が進み、一つのファイバにおいて複数の波長が用いられるようになると、各ノード間、各中継器間、各端末間、などにおいて波長を変換することが必要となることが予想される。従来の光通信システムにおいては、光の波長を変換する際には変換前の波長で送信された光信号を光受信器にて受信し、その受信信号を増幅器にて増幅し、別の波長で送信される光送信器にて送信するという手段にて光の波長変換を行っていた。しかしながら、光信号を一度電気信号に直して再び光信号にすることで波長を変換するということは、１つの波長変換するあたりにかかるコストが大きい。よってデバイスのコストを上げることなく波長を変換するという技術が必要であった。
【０００３】
例えば、光波長を変換する技術としては、Jay.M.Wisenfeldらによって開示されたものが知られている。図１８はIEEEPhotonicsTechnologyLettersVol.5、No.11、pp.1300-1303、1993の「WavelengthConversionat10Gb/susingaSemiconductorOpticalamplifier」に示されたブロック図を書き直したものである。
図１８において、１は光信号を入力する入力端子、２は光合波器、３は単一モード発振レーザ光源、４は半導体レーザ型光増幅器、５１は光波長軸に対して単一波長の透過特性をもつ光フィルタ、６は任意の波長を出力する端子である。
図１８と図１９を用いて波長がλ１からλ２まで変換される動作原理を説明する。
光信号を入力する端子１からは図１８（ａ）に示した光強度変調されたλ１の光信号が入力され、単一モード発振のレーザ光源３からは図１８（ｂ）に示した無変調のλ２の光信号が入力され、両者は合波器２で合波され、図１８の半導体レーザ型光増幅器４に入力される。
同時に入力された光信号は、図１９に示す原理で半導体レーザ型光増幅器４によって、λ２の光波長の無変調信号に変調がかけられる。
半導体型光増幅器４の特性は、入力光強度が利得飽和領域にあると、図１９に示すように入力光強度が大きくなるに従い、利得が減少する飽和特性を持っている。
波長変換前のλ１の光信号強度が図１９の利得飽和領域にあるとλ１の光強度変調信号によって半導体レーザ型光増幅器４の利得が変化する。つまりλ１の光強度変調信号においてスペース状態のときには利得が大きく、マーク状態になると利得が小さくなる。
変調していないλ２の光信号を同時に入力すると、半導体レーザ型光増幅器４の利得の変化によりλ２の光信号も変調される。
しかしながら、波長変換前の入力の強度変調信号と波長変換後の出力の強度変調信号とでは強度変調信号においてマークとスペースが逆転した状態となる。
図１８の半導体レーザ型光増幅器４からの出力は図１８（ｃ）に示すように変調信号されたλ１の信号とλ１と逆転した符号で半導体レーザ型光増幅器４によって強度変調されたλ２信号が同時に出力される。
次に図１８（c）に示すような光周波数透過特性をもつ光フィルタ５１によってλ１の光信号を除去し、λ２の波長変換された光信号が、波長変換装置の出力に現れる。以上の過程によりλ１からλ２への波長変換が行われたことになる。
【０００４】
【発明が解決しようとする課題】
従来例は、光の波長を光のまま変換する技術を開示している。しかし、問題として波長変換装置に入力した波長の信号も同時に出力してしまい、その出力において入力した波長を除去する、もしくは変換後の出力のみを光フィルタによって選択する必要がある。
入力される波長もしくは出力される波長が決まっていれば、光フィルタの選択する波長を固定にしたままでよいが、入力される波長もしくは出力される波長が決まっていない場合には、光フィルタの選択する波長を可変にする必要がある。
現在の技術では選択する波長を瞬時に安定して可変できる光フィルタは実用的なものが無い。よってこの方式による波長変換装置において入力信号の波長を出さずに変換後の波長のみを出力する方式は極めて困難であった。
この発明は、上述のような課題を解決するためになされたもので、入力される波長成分を波長変換装置から出力しない波長変換装置を得ることにある。
【０００５】
【課題を解決するための手段】
この発明に係わる波長変換器は、光信号を入力する入力端子と、この入力端子からの光信号を複数の光信号に分波する光分波器と、複数の単一モード発振レーザ光源と、前記光分波器からの複数の光信号と前記複数の単一モード発振レーザ光源の出力光とをそれぞれ合波する複数の光合波器と、この合波した複数の光をそれぞれ増幅する複数の半導体レーザ型光増幅器と、この増幅した複数の光信号を合波する光合波器と、この合波した光信号のうち前記複数の単一モード発振レーザ光源の出力波長に対応する複数の波長成分を透過する波長軸に対して周期的な透過特性をもつ光フィルタと、この光フィルタを透過した光信号を出力する出力端子とを備えたものである。
【００１８】
【発明の実施の形態】
実施の形態１．
図１は、本実施の形態による波長変換器を示す構成ブロック図である。
図１において、１は光信号を入力する入力端子、２は光合波器、３は単一モード発振のレーザ光源、４は半導体レーザ型光増幅器、５は光波長軸に対して周期的な透過特性をもつ光フィルタ、６は任意の波長を出力する出力端子である。
単一モード発振レーザ光源３は波長可変の半導体レーザ光源や波長可変のリングレーザ光源などを用いる事が出来る。フィルタ５にはファイバファブリペロフィルタや、マッハツェンダ型フィルタ、アレーウエイブガイド型フィルタ等を用いる事が出来る。
【００１９】
次に動作を図１と図２によって説明する。
図２は、変換前の波長λ１、λ３、λ５のうちの１波がλ２、λ４、λ６のうちの１波に変換される事を示している。
図２（ａ）は図１の入力端子１に入力される光信号を示している。このときに入力される波長はλ２ｎ−１（ｎ：１〜）のいずれか１っの波長である。
図１の波長変換器は１つの光信号のみを変換する機能であるため、λ１、λ３、λ５の波長のいずれか１波が図１の入力端子１から入力される。この光信号は図２（ｂ）のような光強度変調がかけられている。
図１の単一モード発振のレーザ光源３は変換先の波長を出力する。図２の（ｃ）に示すようなλ２、λ４、λ６のいずれか１つが出力される。この場合の光信号は図２（ｄ）に示しているように無変調信号である。
合波器２によって合波された後、図２（ｂ）の光強度変調によって半導体レーザ型光増幅器４の利得が変化し、図２（ｄ）の無変調信号に図２（ｆ）の波長変換後の変調信号に示しているような入力変調信号の図２（ｂ）に対してのマークとスペースの逆転した変調がかかる。
図２（ｅ）は図１の半導体レーザ型光増幅器４の出力を示しており、変換前の光信号と変換後の光信号が混在していることを示している。図１の半導体レーザ型光増幅器４の出力につづく図１の光フィルタ５の透過特性は図２（ｅ）に示したように、λ２ｎ（ｎ：１〜）の変換後の波長成分しか透過しない。光フィルタ５の出力は図２（ｇ）となり、その時の光波形は図２（ｈ）のようになり、出力端子６に出力される。よって、波長変換器に入るまえの図２（ａ）の波長が図２（ｇ）に変換された事となる。
この方式の場合、入力の波長はλ２ｎ−１(ｎ：１〜)のいずれかになり、出力の波長はλ２ｎ(ｎ：１〜)のいずれかになる。
【００２０】
この発明は、従来では出力の光フィルタ５の透過波長が固定であったため、波長の変換後の波長は図１８の（ｄ）のようにλ２のみとなっていたが、図２の（ｅ）に示したような透過特性をもつ光フィルタ５を用いる事により光フィルタの透過波を変えることなしに出力波長が図２の（ｇ）に示したようなλ２ｎ（ｎ：１〜）の波長のうち１っに変換出来る利点がある。
【００２１】
実施の形態２．
図３は、本実施の形態による波長変換器を示す構成ブロック図である。
図３において、１は光信号を入力する入力端子、２ａは第１の光合波器、３ａは第１の単一モード発振レーザ光源、４ａは第１の半導体レーザ型光増幅器、５１ａは光波長軸に対して単一波長の透過特性をもつ第１の光フィルタ、２ｂは第２の光合波器、３ｂは第２の単一モード発振のレーザ光源、４ｂは第２の半導体レーザ型光増幅器、５１ｂは光波長軸に対して単一波長の透過特性をもつ第２の光フィルタ、６は任意の波長を出力する出力端子である。
第１の単一モード発振レーザ光源３ａ、第２の単一モード発振レーザ光源３ｂは波長可変の半導体レーザ光源、波長可変のリングレーザ光源などを用いる事が出来る。第１の光フィルタ５１ａ、第２の光フィルタ５１ｂは誘電体多層膜フィルタ等を用いる事が出来る。
【００２２】
次に動作を図４によって説明する。図４は波長がλ１からλ３へと変換されていく様子を示している。
図４（ａ）のλ１の波長の図４（ｂ）の光強度変調された光信号が図３の入力端子１に入力される。図３の第１の単一モード発振レーザ光源３ａからはλ２の無変調の光信号が出力され、図３の第１の半導体レーザ型光増幅器４ａの出力では図４（ｃ）に示す波長で図４（ｄ）に示すような変調信号がのっている。
そのあとにつづく図３の第１の光フィルタ５１ａが図４（ｃ）に示すような透過特性を持っているため図３の第１の光フィルタ５１ａの出力は図４（ｅ）、（ｆ）に示すようなものとなる。また更に図３の第２の単一モード発振のレーザ光源３ｂからは更にもう一度λ３の無変調信号が出力され、図３の第２の半導体レーザ型光増幅器４ｂの出力には図４（ｇ）、図４（ｈ）のようになる。これが図４（ｇ）に示すような透過特性をもつ図３の第２の光フィルタ５１ｂを通ると、図４（ｉ）、図４（ｊ）のようなλ３のみになり、出力端子６に出力される。よって、変調信号は、波長変換器に入力されたものと同じ変調信号が出力される。
【００２３】
この発明は、従来の方式では、波長変換後の変調信号のマークとスペースが反転しているが、実施の形態２のように半導体レーザ型光増幅器を２回透過させた事により波長変換後の変調信号のマークとスペースも変換前と同じにできる利点がある。
【００２４】
実施の形態３．
図５は、本実施の形態による波長変換器を示す構成ブロック図である。
図において、５ａは光波長軸に対して周期的な透過特性をもつ第１の光フィルタ、５ｂは光波長軸に対して周期的な透過特性をもつ第２の光フィルタで、図３の第１の光フィルタ５１ａを図５の第１の光フィルタ５ａに、図３の第２の光フィルタ５１ｂを図５の第２の光フィルタ５ｂに置き換えたものである。他の構成は図３と同じで説明を省く。
【００２５】
次に動作を図５、図６を用いて説明する。基本的な動作は実施の形態１と実施の形態２を複合させたものである。図６は波長列λ２ｎ−1（ｎ：１〜）から波長列λ２ｎ−1（ｎ：１〜）へと波長が変換される事を示している。図５の入力端子１に図６（ａ）、（ｂ）の光信号が入力される。第１の光フィルタ５ａの出力は図６（ｅ）、（ｆ）であるが、更にもう一度波長を変換することにより出力では図６（ｉ）、（ｊ）となり、入力された変調信号と同じ変調信号になり、出力の波長も波長列λ２ｎ−1（ｎ：１〜）で入力された波長と同じ波長列となって出力端子６に出力される。。
【００２６】
この発明では、従来の方法では波長変換後の変調信号のマークとスペースが反転しているが、本発明は波長変換後の変調信号のマークとスペースも変換前と同じにできる利点がある。また、波長変換器から出力される波長も入力と同じ波長列である利点がある。
【００２７】
実施の形態４．
図７は、本実施の形態による波長変換器を示す構成ブロック図である。
図において、５１は光波長軸に対して単一波長の透過特性をもつ第１の光フィルタ、５２は光波長軸に対して複数のチャネル分の帯域を有する周期的な透過特性をもつ第２の光フィルタである。他の構成は図５と同じで説明を省く。
【００２８】
次に動作を図７、図８を用いて説明する。図７の入力端子１には図８（ａ）、（ｂ）のような光信号が入力される。この時、入力される波長はλ１〜λ５のいずれか１波である。図７の第１の単一モード発振のレーザ光源３ａからの出力はλ０のみで、入力された信号は必ずλ０に変換される。これが図７の第２の単一モード発振のレーザ光源３ｂから出力されるλ１〜λ５の任意の１波に再度変換される。出力にはλ１〜λ５を透過する図８（ｇ）のような透過特性をもつ光フィルタでλ０を除去する。出力の第２の光フィルタの帯域が広いので、フィルタの透過波長を変えることなく、出力は図８（ｉ）、（ｊ）のようにλ１〜λ５までの任意の１つの波長を出力する。
【００２９】
従来の方式では、波長変換後の変調信号のマークとスペースが反転しているが、この発明では半導体レーザ型光増幅器を２回透過させた事により波長変換後の変調信号のマークとスペースも変換前と同じにできる利点がある。また、波長変換器から入力される波長も出力される波長も自由に設定できるという利点がある。
【００３０】
実施の形態５．
図９は、本実施の形態による波長変換器を示す構成ブロック図である。
図１との相違は、８は１個の入力端子とｎ個の出力端子を有する光分波器、９はｎ個の入力端子と１個の出力端子を有する光合波器を備え、図１の単一モード発振レーザ光源、光合波器、半導体レーザ型光増幅器をそれぞれｎ個並列にし、５の光フィルタを共用した事である。
【００３１】
動作を図９を用いて説明する。入力端子１から入力される強度変調光信号はλ１〜λｎで、それぞれ光分波器８の出力ポート１〜ｎに出力される。分波された光強度変調信号はそれぞれ半導体レーザ光源型光増幅器４ａ〜４ｃの利得を変調させ、単一モード発振レーザ光源３ａ〜３ｃの出力波長に信号を変調し、光合波器９にて合波されて、光フィルタ５によって入力端子１から入力された波長変換前の成分を除去して、出力端子６にて出力される。基本的には実施の形態１と同様な動作をしているが、１つの入力端子、１つの出力端子に複数の波長が多重されているものを波長変換することができる。
【００３２】
今までの実施の形態では波長変換器の入力端子１に１つの波長しか入力されないものであったが、この発明では、波長変換器の１つ入力端子に複数の波長が多重されていて、出力端子６も１つであった場合に同時に複数の波長を変換できる利点がある。
【００３３】
実施の形態６．
図１０は、本実施の形態による波長変換器を示す構成ブロック図である。
図において、１０は光スイッチ、１１ａ、１１ｂ、１１ｃは単一モード発振波長固定レーザ光源、他は図９と同じ構成で説明を省く。
【００３４】
動作は実施の形態５とほぼ同じである。ｎ個の光合波器９とｎ個の半導体レーザ型光増幅器４ａ〜４ｃからなるそれぞれのステージにおいて１個の変換後の光波長の無変調光が必要となる。よってそれそれの単一モード発振波長固定レーザ光源３ａ〜３ｃの出力波長を光スイッチ１０により選択して出力する。
【００３５】
この実施の形態では、１つの入力端子１に複数の波長が多重されていて、出力端子６も１つであった場合に複数の波長を変換できる利点がある。また、単一モード発振波長固定レーザ光源１１ａ〜１１ｃを光スイッチ１０で切り替えることにより、単一モード発振レーザ光源３ａ〜３ｃを簡便にすることができる。
【００３６】
実施の形態７．
図１１は、本実施の形態による波長変換装置を示す構成ブロック図である。
図１１の構成は、図１０の波長変換器を直列に接続し、実施の形態５を実施の形態３に応用したものである。
【００３７】
動作は、入力端子１からの波長信号をいったん別波長に変換し、再度目的の波長に変換し直している。波長変換を２回行うことにより、変調信号は入力と同じ論理符号になる。
【００３８】
この実施の形態では、１つの入力端子に複数の波長が多重されていて、出力端子も１つであった場合に複数の波長を変換できる利点がある。また、半導体レーザ型光増幅器を２回透過させた事により波長変換後の変調信号のマークとスペースも変換前と同じにできる利点がある。
【００３９】
実施の形態８．
図１２は、本実施の形態である波長変換装置を示す構成ブロック図である。
図１１との相違は、実施の形態６を実施の形態３に応用したものである。
【００４０】
動作は、入力した波長信号をいったん別波長に変換し、再度目的の波長に変換し直している。波長変換を２回行うことにより、変調信号は入力のマークとスペースが同じになる。
【００４１】
この実施の形態では、１つの入力端子に複数の波長が多重されていて、出力端子も１つであった場合に複数の波長を変換できる利点がある。半導体レーザ型光増幅器を２回透過させた事により波長変換後の変調信号のマークとスペースも変換前と同じにできる利点がある。単一モード発振波長固定レーザ光源を光スイッチで切り替えることにより、レーザ光源を簡便にする利点がある。
【００４２】
実施の形態９．
図１３は、本実施の形態による波長変換器を示す構成ブロック図である。
１ａは光信号を入力する入力端子、１２ａは第１の光サーキュレータ、４は半導体レーザ型光増幅器、１２ｂは第２の光サーキュレータ、６ａは任意の波長を出力する第１の出力端子、３は単一モード発振レーザ光源、６ｂは任意の波長を出力する第２の出力端子である。
【００４３】
図１３を用いて動作を説明する。図１３（ａ）の変調されたλ１の信号はサーキュレータ１２aを通り半導体レーザ型光増幅器４を通り、変調信号に従い半導体レーザ型光増幅器４の利得を変化させる。第２のサーキュレータ１２ｂにより出力端子６ａに変換前の光変調信号が出力される。変換するλ２の信号は単一モードレーザ光源３により出力され、第２のサーキュレータ１２ｂにより半導体レーザ型光増幅器４を通過し、強度変調され、第２の出力端子６ｂに変換光λ２が出力される。
【００４４】
この実施の形態では、変換前の信号を除去するために光フィルタを用いていないので、変換前と変換後の波長設定に制限が無いという利点をもつ。
【００４５】
実施の形態１０．
図１４は、本実施の形態である波長変換装置を示す構成ブロック図である。
１ａは光信号を入力する第１の入力端子、１２ａは第１の光サーキュレータ、４ａは第１の半導体レーザ型光増幅器、１２ｂは第２の光サーキュレータ、６ａは任意の波長を出力する第１の出力端子、３ａは第１の単一モード発振レーザ光源、６ｂは任意の波長を出力する第２の出力端子、１２ｃは第３の光サーキュレータ、４ｂは第２の半導体レーザ型光増幅器、１２ｄは第４の光サーキュレータ、３ｂは第２の単一モード発振レーザ光源、６ｃは任意の波長を出力する第３の出力端子である。
【００４６】
図１４を用いて動作を説明する。
図１４（ａ）の変調されたλ１の信号は第１の光サーキュレータ１２ａを通り第１の半導体レーザ型光増幅器４ａを通過して、λ１の変調信号に従い第１の半導体レーザ型光増幅器４ａの利得を変化させる。
また、第２の光サーキュレータ１２ｂにより波長変換前の信号が出力端子６ａより出力される。
変換するλ３の信号は第１の単一モードレーザ光源３ａにより出力される。
【００４７】
第２のサーキュレータ１２ｂにより半導体レーザ型光増幅装置４ａに入力されたλ３の信号はλ１の信号によって利得が変調された半導体レーザ型光増幅器４ａを通過することによって、λ３の信号が変調された後、第１の光サーキュレータ１２ａを通過して、
第３のサーキュレータ１２ｃを経て、λ３の変調信号に従い第２の半導体レーザ型光増幅器４ｂの利得を変化させる。
第３のサーキュレータ１２ｃにより波長変換後のλ３の信号は第３の出力端子６ｃに変換光が出力される。２回目に変換されるλ２の信号は第２の単一モードレーザ光源３ｂにより出力され、第４のサーキュレータ１２ｄを通り、λ３により利得が変調された第２の半導体レーザ型光増幅器４ｂを通ることによって変調され、第３のサーキュレータ１２ｃを通った後、出力端子６ｂから出力される。
【００４８】
この実施の形態では、変換前の信号を除去するために光フィルタを用いていないので、変換前と変換後の波長設定に制限が無いという利点をもつ、また、波長変換後の変調信号のマークとスペースも変換前と同じにできる利点がある。
【００４９】
実施の形態１１．
図１５は、本実施の形態である波長変換器を示す構成ブロック図である。
１は光信号を入力する入力端子、１３は偏光状態変換器、１４ａは第１の偏光スプリッタ、３は単一モードレーザ光源、４は半導体レーザ型光増幅器、１４ｂは第２の偏光スプリッタ、６ａは任意の波長を出力する第１の出力端子、６ｂは任意の波長を出力する第２の出力端子。
【００５０】
図１５を用いて動作を説明する。図１５（ａ）の変調されたλ１の信号はＴＥ波であるとし、偏光状態変換器１３にて偏光状態をＴＭ波に変換し、第１の偏光ビームスプリッタ１４ａに入力され、λ２の無変調の単一モードレーザ光源３からのＴＥ波と合波される。半導体レーザ型光増幅器４では光強度変調信号ののったλ１のＴＭ波で半導体レーザ型光増幅器４の利得を変調させる。λ２のＴＥ波は半導体レーザ光源３の利得変調により信号が変調され、第２の偏光スプリッタ１４ｂにより分岐され、変換前の信号が任意の波長を出力する第１の出力端子６ａより出力され、変換後の信号が任意の波長を第２の出力端子６ｂより出力される。偏光によって波長変換器の入力の信号を削除している。
【００５１】
この実施の形態では、変換前の信号を除去するために光フィルタを用いていないので、変換前と変換後の波長設定に制限が無いという利点をもつ。
【００５２】
実施の形態１２．
図１６は、本実施の形態による波長変換装置を示す構成ブロック図である。実施の形態１１との違いは、実施の形態１１の波長変換器を直列に接続したことである。
【００５３】
この実施の形態では、変換前の信号を除去するために光フィルタを用いていないので、変換前と変換後の波長設定に制限が無いという利点をもつ、また波長変換後の変調信号のマークとスペースも変換前と同じにできる利点がある。
【００５４】
実施の形態１３．
図１７は、本実施の形態による波長変換器を示す構成ブロック図である。
実施の形態１との違いは、図１の単一モード発振レーザ光源３の代わりに図１７の波長固定光源１１ａ、１１ｂ、１１ｃと光スイッチ１０を備えたものである。変換後の波長をｎ個の波長固定光源１１ａ、１１ｂ、１１ｃから光スイッチ１０を用いて選択するものである。
【００５５】
この実施の形態では、単一モード発振波長固定レーザ光源を光スイッチで切り替えることにより、レーザ光源を簡便にする利点がある。
【００５６】
【発明の効果】
この発明に係わる波長変換器は、上記のように構成されており、周期的な透過特性を持つ光フィルタを備えているため、複数の波長が多重されている場合に同時に複数の波長を変換できる。
【図面の簡単な説明】
【図１】  実施の形態１による波長変換器の基本構成を示すブロック図である。
【図２】  実施の形態１による波長変換器の動作を示す図である。
【図３】  実施の形態２による波長変換器の基本構成を示すブロック図である。
【図４】  実施の形態２による波長変換器の動作を示す図である。
【図５】  実施の形態３による波長変換器の基本構成を示すブロック図である。
【図６】  実施の形態３による波長変換器の動作を示す図である。
【図７】  実施の形態４による波長変換器の基本構成を示すブロック図である。
【図８】  実施の形態４による波長変換器の動作を示す図である。
【図９】  実施の形態５による波長変換器の基本構成を示すブロック図である。
【図１０】  実施の形態６による波長変換器の基本構成を示すブロック図である。
【図１１】  実施の形態７による波長変換装置の基本構成を示すブロック図である。
【図１２】  実施の形態８による波長変換装置の基本構成を示すブロック図である。
【図１３】  実施の形態９による波長変換器の基本構成を示すブロック図である。
【図１４】  実施の形態１０による波長変換装置の基本構成を示すブロック図である。
【図１５】  実施の形態１１による波長変換器の基本構成を示すブロック図である。
【図１６】  実施の形態１２による波長変換装置の基本構成を示すブロック図である。
【図１７】  実施の形態１３による波長変換器の基本構成を示すブロック図である。
【図１８】  従来例１を示す図である。
【図１９】  従来例２を示す図である。
【符号の説明】
１  光信号を入力する端子
１ａ  第１の光信号を入力する端子
１ｂ  第２の光信号を入力する端子
１ｃ  第２の光信号を入力する端子
２  合波器
２ａ  第１の光合波器
２ｂ  第２の光合波器
２ｃ  第ｎ番目の光合波器
２ｄ  第ｎ＋１番目の光合波器
２ｅ  第ｎ＋２番目の光合波器
２ｆ  第ｎ＋ｍ番目の光合波器
３  単一モード発振レーザ光源
３ａ  第１の単一モード発振レーザ光源
３ｂ  第２の単一モード発振レーザ光源
３ｃ  第ｎ番目の単一モード発振レーザ光源
３ｄ  第ｎ＋１番目の単一モード発振レーザ光源
３ｅ  第ｎ＋２番目の単一モード発振レーザ光源
３ｆ  第ｎ＋ｍ番目の単一モード発振レーザ光源
４  半導体型レーザ型光増幅器
４ａ  第１の半導体レーザ型光増幅器
４ｂ  第２の半導体レーザ型光増幅器
４ｃ  第ｎ番目の半導体型レーザ光源光増幅器
４ｄ  第ｎ＋１番目の半導体レーザ型光増幅器
４ｅ  第ｎ＋２番目の半導体レーザ型光増幅器
４ｆ  第ｎ＋ｍ番目の半導体レーザ型光増幅器
５  光波長軸に対して周期的な透過特性をもつ光フィルタ
５ａ  光波長軸に対して周期的な透過特性をもつ第１の光フィルタ
５ｂ  光波長軸に対して周期的な透過特性をもつ第２の光フィルタ
５１  光波長軸に対して単一波長の透過特性をもつ光フィルタ
５１ａ  光波長軸に対して単一波長の透過特性をもつ第１の光フィルタ
５１ｂ  光波長軸に対して単一波長の透過特性をもつ第２の光フィルタ
５２  光波長軸のチャネルにたいして複数のチャネル分の帯域を有する透過特性をもつ光フィルタ
６  任意の波長を出力できる出力端子
６ａ  第１の任意の波長を出力する出力端子
６ｂ  第２の任意の波長を出力する出力端子
６ｃ  第２の任意の波長を出力する出力端子
７  光分波器
７ａ  第１の光分波器
７ｂ  第２の光分波器
８  ｎ個の出力端子を有する光分波器
８ａ  ｎ個の出力端子を有する第１の光分波器
８ｂ  ｎ個の出力端子を有する第２の光分波器
９  ｎ個の入力端子を有する光合波器
９ａ  ｎ個の入力端子を有する光合波器
９ｂ  ｎ個の入力端子を有する光合波器
１０  光スイッチ
１０ａ  第１の光スイッチ
１０ｂ  第２の光スイッチ
１１ａ  発振波長が固定された第１の単一モード発振レーザ光源
１１ｂ  発振波長が固定された第２の単一モード発振レーザ光源
１１ｃ  発振波長が固定された第ｎの単一モード発振レーザ光源
１１ｄ  発振波長が固定された第ｎ＋１の単一モード発振レーザ光源
１１ｅ  発振波長が固定された第ｎ＋２の単一モード発振レーザ光源
１１ｆ  発振波長が固定された第ｎ＋ｍの単一モード発振レーザ光源
１２ａ  第１の光サーキュレータ
１２ｂ  第２の光サーキュレータ
１２ｃ  第３の光サーキュレータ
１２ｄ  第４の光サーキュレータ
１３  偏光状態変換器
１３ａ  第１の偏光状態変換器
１３ｂ  第２の偏光状態変換器
１４ａ  第１の偏光スプリッタ
１４ｂ  第２の偏光スプリッタ
１４ｃ  第３の偏光スプリッタ
１４ｄ  第４の偏光スプリッタ
【図１】
0004029515.tif 000002
【図２】
0004029515.tif 000003
【図３】
0004029515.tif 000004
【図４】
0004029515.tif 000005
【図５】
0004029515.tif 000006
【図６】
0004029515.tif 000007
【図７】
0004029515.tif 000008
【図８】
0004029515.tif 000009
【図９】
0004029515.tif 000010
【図１０】
0004029515.tif 000011
【図１１】
0004029515.tif 000012
【図１２】
0004029515.tif 000013
【図１３】
0004029515.tif 000014
【図１４】
0004029515.tif 000015
【図１５】
0004029515.tif 000016
【図１６】
0004029515.tif 000017
【図１７】
0004029515.tif 000018
【図１８】
0004029515.tif 000019
【図１９】
0004029515.tif 000020